(57)【要約】      （修正有）【課題】騒音を低減する変圧器を提供する。【解決手段】タンク１内に２つの鉄心２、３と、２つの鉄心２、３に巻きまわされた巻線７、８、９、１０を有する変圧器であって、２つの鉄心２、３間の振動を伝達する振動伝達部材４と、一方の鉄心３に巻きまわされた巻線８と電源５の間に位相調整器６を有し、他方の鉄心２に巻きまわされた巻線７は電源５から直接励磁され、一方の鉄心３に巻きまわされた巻線８は位相調整器６を通して波長を電源５の波長から１／４波長ずらした電圧で励磁される。【選択図】図１
2017135298.tif 000002
【特許請求の範囲】
【請求項１】
タンク内に２つの鉄心と、前記２つの鉄心に巻きまわされた巻線を有する変圧器であって、前記２つの鉄心間の振動を伝達する振動伝達部材と、前記一方の鉄心に巻きまわされた巻線と電源の間に位相調整器を有し、他方の鉄心に巻きまわされた巻線は前記電源から直接励磁され、前記一方の鉄心に巻きまわされた巻線は前記位相調整器を通して波長を前記電源の波長から１／４波長ずらした電圧で励磁される変圧器。
【請求項２】
請求項１記載の変圧器において、前記振動伝達部材を金属材料としたことを特徴とする変圧器。
【請求項３】
請求項１記載の変圧器において、さらに、前記一方の鉄心と前記他方の鉄心の間に磁気シールド材を有することを特徴とする変圧器。
【請求項４】
請求項１記載の変圧器において、前記他方の鉄心の出力側に位相調整器を設けたことを特徴とする変圧器。
【発明の詳細な説明】
【技術分野】
【０００１】
本発明は、鉄心の振動に起因して発生する騒音を低減した変圧器に関するものである。
【背景技術】
【０００２】
近年、変電所の周辺環境保護の観点から、各設備に対する騒音規制が厳しくなっており、特に変圧器において、低騒音化が強く望まれている。この変圧器の騒音の一つに励磁騒音が挙げられ、励磁騒音の主な原因として鉄心の磁歪振動がある。磁歪は、鉄心を形成する鋼板内の磁束密度が変化したときに鋼板の形状がそれに従って変化するものである。この現象によって、鉄心が交流励磁されたときに鉄心が振動し、そのため騒音が発生する。磁歪によって発生した振動は、変圧器内部の油や鉄心の支持部材、タンク等を介在する過程で様々な周波数に変化し、伝達される。
【０００３】
そのため、例えば、特開平５−１３７３４１では、変圧器或いはリアクトル等の鉄心の振動や電磁力に起因して発生する騒音を低減するため、電磁機器を２組設け、その入力交流電圧の位相を互いに逆位相とし、かつ２組の電磁機器を同一の架台に並べて配置することで、低騒音化する方法が開示されている。
【先行技術文献】
【特許文献】
【０００４】
【特許文献１】特開平５−１３７３４１号公報
【発明の概要】
【発明が解決しようとする課題】
【０００５】
静止誘導電器の騒音低減方法として、特許文献１では、電磁機器を２組設け、その入力交流電圧の位相を互いに逆位相とし、かつ２組の電磁機器を同一の架台に並べて配置することで、低騒音化する方法が提案されている。しかし、磁歪によって鉄心に発生する振動は電源周波数の２倍の周波数となるため、電源周波数の逆位相の電圧を一方の電磁機器に入力した場合、同位相の磁歪振動が重ね合わされることになり、結果として２倍の磁歪振動が発生し、磁歪振動に起因した騒音が増大する可能性があった。
【課題を解決するための手段】
【０００６】
上記課題を解決するため、本発明の変圧器は、タンク内に２つの鉄心（２、３）と、２つの鉄心（２、３）に巻きまわされた巻線（７、８、９、１０）を有する変圧器であって、２つの鉄心（２、３）間の振動を伝達する振動伝達部材（４）と、一方の鉄心（３）に巻きまわされた巻線（８）と電源（５）の間に位相調整器（６）を有し、他方の鉄心（２）に巻きまわされた巻線（７）は電源（５）から直接励磁され、一方の鉄心（３）に巻きまわされた巻線（８）は位相調整器（６）を通して波長を電源（５）の波長から１／４波長ずらした電圧で励磁されることを特徴とする。
【発明の効果】
【０００７】
本発明は、変圧器の種類によらず励磁電圧を１／４波長ずらすという簡単な仕組みで低騒音化が可能となる。また、一般的な騒音対策である防音壁を用いるよりも、小型・低コスト化が可能となる。
【図面の簡単な説明】
【０００８】
【図１】本発明の実施例を示す変圧器の１形態の説明図。
【図２】各巻鉄心で発生する磁歪による振動波形の説明図。
【図３】各巻線に入力される電圧波形の説明図。
【図４】本発明の変圧器の１形態の説明図。
【図５】本発明の変圧器の１形態の説明図。
【図６】本発明の変圧器の１形態の説明図。
【図７】本発明の変圧器の１形態の説明図。
【発明を実施するための形態】
【０００９】
以下、本発明にかかる変圧器の実施の形態について図面を用いて説明する。なお、この実施の形態によりこの発明が限定されるものではない。
【実施例１】
【００１０】
図１は本発明の一実施例を示す図である。図１は変圧器を横から見た図であり、タンク内の構成が明確になるようにタンク１の内部が見える構成としている。
【００１１】
図１に示されているように本発明は、鉄心２及び鉄心３とこれらの鉄心間に配置された鉄心振動を伝達する振動伝達部材４、電源５、電源５から位相調整器６を介さずに接続された一次巻線７、電源５から位相調整器６を介して接続された一次巻線８、電源５と一次巻線８の間に設置された位相調整器６、及びタンク１で概略構成される。
【００１２】
通常、変圧器から出力された電圧は一つの負荷に接続されるが、鉄心２に巻かれた二次巻線９から出力される電圧と鉄心３に巻かれた二次巻線１０から出力される電圧は、以下の実施例で示す通り、１／４波長位相がずれているため、同じ負荷に接続できない。そのため、二次巻線９は負荷１１、二次巻線１０は負荷１２と別々の負荷に接続する必要がある。
【００１３】
鉄心２は電源５から一次巻線７で直接励磁され、もう一方の鉄心３は位相調整器６で位相を約１／４波長ずらした電圧で励磁される。
【００１４】
また、製造の過程により、鉄心２及び３、一次巻線７および８には製造誤差が生じるため、位相調整器６を位相の微調整が可能な調整器とすることで製造誤差によるずれを補正する。
【００１５】
振動伝達部材４は、例えば、金属、高弾性率樹脂などの振動を伝達しやすい材料が望ましい。また、鉄心の電位は通常アース線に接続されているため０電位であるが、鉄心２と鉄心３の間に振動伝達部材４を設置することで２つの鉄心間に循環電流が流れる可能性がある。そのため、無機物や有機物の絶縁部材でコーティングしておくことが望ましい。図１の構成により、騒音の低減を図ることができる。
【００１６】
次に、図１の構成で磁歪を打ち消すことのできる原理について説明する。
【００１７】
図２（ａ）は一次巻線７に入力される電圧波形を、（ｂ）は一次巻線８に入力される電圧波形を示している。図２（ａ）と（ｂ）の波形は商用周波数（５０Ｈｚもしくは６０Ｈｚ）で振動しており、１波長は２０ｍｓとなる。図２（ｂ）の波形は位相調整器６を介して（ａ）の波形に対して１／４波長ずれた波形である。
【００１８】
図３（ａ）は図２（ａ）の電圧波形に、図３（ｂ）は図２（ｂ）の電圧波形に応じて各々の巻鉄心に発生する磁歪の振動を示している。磁歪の振動は電源周波数の２倍の周波数で振動するため、図３の（ａ）と（ｂ）は逆位相となる。逆位相となった磁歪振動を各々足し合わせると、波形の山と谷の部分が打ち消されて一定値となるため、振動は発生しなくなる。
【００１９】
例えば、図１の構成要素である鉄心２の磁歪振動の波形を図３（ａ）とした場合、鉄心３の磁歪振動の波形は図３（ｂ）の波形となり、振動伝達部材４に各々の振動が伝達されることで、振動を打ち消すことができる。従って、磁歪振動による騒音を低減することが可能となる。
【００２０】
各鉄心からタンクへ伝達する振動が大きい方が、互いの振動をタンクで打ち消し合う効果も大きいため、鉄心２および鉄心３とタンク１は金属など振動を伝達しやすい材料で連結されることが望ましい。
【実施例２】
【００２１】
図４は本発明の１実施例を示す図である。
【００２２】
本発明は実施例１の図１で説明した構成に加えて、一次巻線７および二次巻線９と一次巻線８および二次巻線１０の間に、巻線からの漏れ磁界を防ぐ磁気シールド材１３が配置されている。なお、磁気シールド材１３を鉄心間に配置したため、振動伝達部材４は、例えば鉄心２及び鉄心３それぞれの上面に設ける構成としている。
【００２３】
磁気シールド材１３は、例えば、電磁鋼板などの磁性材料が望ましい。図４の構成により、一方の鉄心がもう一方の鉄心の漏れ磁界の影響を受けることなく、騒音の低減を図ることができる。
【実施例３】
【００２４】
図５は本発明の１実施例を示す図である。
【００２５】
本発明は実施例１の図１で説明した構成に対して、鉄心２に巻かれた二次巻線９の出力側に第２の位相調整器１４を設けることで、鉄心３に巻かれた二次巻線１０から出力される位相と同位相に調整できる構成とする。こうすることで、二次巻線９と１０の出力側を同じ負荷１２に接続可能となる。
【００２６】
尚、位相調整器１４で調整する位相は、位相調整器６で調整した波長と同じ波長（１／４波長）とする。図５の構成により、同一の負荷に接続可能で、かつ騒音の低減を図ることができる。
【実施例４】
【００２７】
図６は本発明の１実施例を示す図である。
【００２８】
実施例１の図１の構成は、一つのタンクの中に鉄心を２つ組み込み、鉄心間に振動伝達部材を配置することで、騒音を打ち消す構成であったが、本実施例の図６の構成は、２つの変圧器１５、１６と２つの変圧器を連結し振動を伝達する振動伝達部材17を変圧器底面部に配置することで、騒音を打ち消す変圧器システムの構成である。
【００２９】
変圧器に電圧を供給する電源５、電源５と変圧器１５との間に接続された位相調整器６、変圧器１５と変圧器１６を連結する振動伝達部材１７で構成され、一方の変圧器１５は電源５から直接励磁され、もう一方の変圧器１６は位相調整器６を介して波長を約１／４波長ずらした電圧で励磁される。
【００３０】
図１でも説明したが、通常、変圧器から出力された電圧は一つの負荷に接続されるが、変圧器１５から出力される電圧と変圧器１６から出力される電圧は１／４波長位相がずれているため、同じ負荷に接続できない。そのため、変圧器１５は負荷１１、変圧器１６は負荷１２と別々の負荷に接続する必要がある。この図６の構成により、騒音の低減を図ることができる。
【実施例５】
【００３１】
図７は本発明の１実施例を示す図である。
【００３２】
本発明は実施例４の図６で説明した構成に対して、変圧器１５の出力側に第２の位相調整器１４を設けることで、変圧器１６から出力される位相と同位相に調整できる構成とする。従って、変圧器１５と１６の出力側を同じ負荷１２に接続可能な構成となる。
【００３３】
尚、位相調整器１４で調整する位相は、位相調整器６で調整した波長と同じ波長（１／４波長）とする。図７の構成により、同一の負荷に接続可能で、かつ騒音の低減を図ることができる。
【符号の説明】
【００３４】
１・・・タンク、２・・・鉄心、３・・・鉄心、４・・・振動伝達部材、５・・・電源、６・・・位相調整器、７・・・一次巻線、８・・・一次巻線、９・・・二次巻線、１０・・・二次巻線、１１・・・負荷、１２・・・負荷、１３・・・磁気シールド材、１４・・・位相調整器、１５・・・変圧器、１６・・・変圧器、１７・・・振動伝達部材
【図１】
2017135298.tif 000003
【図２】
2017135298.tif 000004
【図３】
2017135298.tif 000005
【図４】
2017135298.tif 000006
【図５】
2017135298.tif 000007
【図６】
2017135298.tif 000008
【図７】
2017135298.tif 000009